(57)【要約】      （修正有）【課題】日常使用している物干し具を利用する枕や座布団の適当な物干し具が無い。【解決手段】ハンガー等に取り付けて使用する枕や座布団等の物干し具において、２個のピンチでなる連結ピンチ２はピンチ上部片側の外側側面に各々３６０°回転可能に、かつ片面が略平面になるようにバー２ｂで連結し、ピンチの挟持部２ａ、２ｃは洗濯物の他に円形や楕円形等のハンガーフレームを挟持する構造、さらには針金製のハンガーフレームを挟持する構造とし、枕や座布団等の吊下げバンドの被挟持部３ａも挟持する構造とする。枕や座布団等の吊下げバンド３は、挟持部の中間に複数の幅広の挟持板を備えるか幅広の部材とし、長さ方向の片側にはハンガーや上記連結ピンチと連結する機能を備えた複数の脱着可能な被挟持部３ａを備え、長さ方向の他方には枕や座布団等の長さに応じて長さ調整をする複数の脱着可能な吊下げバンド長の調性具を備える。【選択図】図１
2016087369.tif 000002
【特許請求の範囲】
【請求項１】
ハンガー等に取り付けて使用する枕や座布団等の物干し具において、２個のピンチでなる連結ピンチ２はピンチ上部片側の外側側面２ｇおよび２ｈに各々３６０°回転可能に、かつ片面が略平面になるようにバー２ｂで連結し、ピンチの挟持部２ａ、２ｃは洗濯物の他に円形や楕円形等のハンガーフレームを挟持する２ｄ、２ｅ、さらには針金製のハンガーフレームを挟持する２ｆの構造とし、枕や座布団等の吊下げバンドの被挟持部３ａも挟持する構造とする。枕や座布団等の吊下げバンド３は、挟持部３ｅの中間に複数の幅広の挟持板３ｃを備えるか３−２のような幅広の部材とし、長さ方向の片側にはハンガーや上記連結ピンチと連結する機能を備えた複数の脱着可能な被挟持部３ａを備え、長さ方向の他方には枕や座布団等の長さに応じて長さ調整をする複数の脱着可能な吊下げバンド長の調性具３ｄまたは３−２−ｄを備えることを特徴とする枕や座布団等の物干し具。
【請求項２】
請求項１の構造の［図３］の連結ピンチの物干し具。
【請求項３】
請求項１の構造の吊下げバンドの被挟持部３ａを［図７］の３ａ−１または［図８］の３ａ−２とする物干し具。
【発明の詳細な説明】
【技術分野】  物干し具【０００１】  本発明は、枕・座布団等の物干し具に関するものである。
【背景技術】
【０００２】  従来には、特開平９−２９４８９５、実用新案出願公開昭６３−６４３９５、実用新案出願公開昭６４−４３８９１、実開平６−８５６９４、実用新案登録第３０７２５１９、実用新案登録第３０９５４６６、実用新案登録第３１５４１９１、特開２００６−７５３８２、特開２００６−１５８６０１、特開２００６−６８４７０、特開平９−２２５１９５等が開示されている。
【発明が解決しようとする課題】
【０００３】１）枕の日干しをする専用の干し具は、他の用途に転用し難いので非使用時には邪魔になるという課題がある。
【０００４】２）座布団の日干しをする適当な干し具が見つからないという課題がある。
【０００５】３）［図１０ａ］のように使用した場合に連結ピンチは略平面にならないと、ピンチ上部が座布団等に押されて挟持部２ａまたは２ｃが開き吊下げバンドが外れる危険性の課題がある。
【０００６】４）技術開示されている連結式ピンチは、通常家庭で使用するハンガー等を活用できないという課題がある。
【０００７】５）マット等の重いものを干す場合に、多数のピンチで挟持しなければならないが適当な物干し具がないという課題がある。
【０００８】  本発明は、上記従来の物干し具おける上述の問題を解決しようとしてなされたものである。
【課題を解決するための手段】
【０００９】  ハンガー等に取り付けて使用する枕や座布団等の物干し具において、２個のピンチでなる連結ピンチ２はピンチ上部片側の外側側面２ｇおよび２ｈに各々３６０°回転可能に、かつ片面が略平面になるようにバー２ｂで連結し、ピンチの挟持部２ａ、２ｃは洗濯物の他に円形や楕円形等のハンガーフレームを挟持する２ｄ、２ｅ、さらには針金製のハンガーフレームを挟持する２ｆの構造とし、枕や座布団等の吊下げバンドの被挟持部３ａも挟持する構造とする。枕や座布団等の吊下げバンド３は、挟持部３ｅの中間に複数の幅広の挟持板３ｃを備えるか３−２のような幅広の部材とし、長さ方向の片側にはハンガーや上記連結ピンチと連結する機能を備えた複数の脱着可能な被挟持部３ａを備え、長さ方向の他方には枕や座布団等の長さに応じて長さ調整をする複数の脱着可能な吊下げバンド長の調性具３ｄまたは３−２−ｄを備えることを特徴とする枕や座布団等の物干し具を提供することで課題を解決する。
【作用】
【００１０】図１、１０、１１のようにハンガーと併用して使用する。また、枕や座布団の非使用時には図６やハンガーに複数の連結ピンチを取り付けてマット等の物干し具として使用する。
【発明の効果】
【００１１】  どこの家庭にもあるハンガーと併用することで、干す位置を適時簡単に移動することができ、１種類の物干し具で枕や座布団が干せる。座布団のような長さのあるものも挟持板３ｃの効果で真っ直ぐな状態で干すことができる。非使用時には、吊下げバンドは小さく折り畳める構造なのでコンパクトに収納が可能なため邪魔にならない。また、連結ピンチはハンガーと併用して物干し具として使用できるため物干し具の使用効率を上げられる。
【発明を実施するための形態】
【実施例】
【００１２】１）実施一形態を説明する。［図１］のよう枕に吊下げバンドを回して使用する場合、吊下げ部の中央で折り曲げて対象物を挟むようにして使用する。対象物の長さはそれぞれ違うので吊下げバンドに取り付けた３ｄを３ｂのどこかのチェーンに引っ掛けることで長さの調整をする。
次に、ハンガーフレームを挟持する構造の連結ピンチ２の一方をハンガーに挟持し、他方のピンチで吊下げバンドの被挟持部材３ａを挟持することで枕を日干しすることができる。ハンガーへの負荷を小さくする場合には３ｄの近辺に３ａを取り付けて［図１１］のように使用することができる。
［図６］のように長さの長い座布団のようにものも、座布団の自重で吊下げバンドは直線になろうとする力が働くため、この力は枕や座布団の挟持部３ｃを内側に寄せる力となり、長い座布団でも真っ直ぐな状態に挟んで日干しすることができる。
非使用時には吊下げバンドは３ｃの大きさに折りたたむことができるので収納の邪魔にはならない。【００１３】２）［図１０ａ］のように使用する場合、［図３］のような略平面を枕側にして使用すれば、ピンチ上部が座布団等に押されて挟持部２ａまたは２ｃが開き吊下げバンドが外れる危険性は無くなり安全に使用できる。【００１４】３）吊下げバンド非使用時には、［図９］のように首周りの大きな洗濯物には片側のピンチはハンガーへの固定用として、他方は洗濯物の留め具として使用する。さらには［図１］の上側のように複数の連結ピンチ２を利用してマット等の重いものや複数の靴下等の物干し具として利用する。
【図面の簡単な説明】
【００１５】
【図１】ハンガーに枕を取り付けた図
【図２】連結ピンチの斜視図
【図３】連結ピンチを直線状にした斜視図
【図４】連結ピンチの２ａの側面図
【図５】吊下げバンド全図
【図６】ハンガーに座布団を取り付けた図
【図７】吊下げバンド被挟持具の代用具−１の図
【図８】吊下げバンド被挟持具の代用具−２の図
【図９】ハンガー上部に連結ピンチを取り付けた図
【図１０ａ】帯状挟持バンドで枕を挟持した図
【図１０ｂ】［図１０ａ］の側面図
【図１１ａ】座布団を連結ピンチ４個で取り付けた図
【図１１ｂ】［図１１ａ］の側面図
【符号の説明】
【００１６】１    ハンガー                        ２    連結ピンチ
２Ａ  ピンチＡ                        ２Ｂ  ピンチＢ
２ａ  ピンチＡ挟持部                  ２ｂ  ピンチの連結バー
２ｃ  ピンチＢ挟持部                  ２ｄ  丸型ハンガーフレームの挟持部
２ｅ  楕円・平型ハンガーフレームの挟持部
２ｆ  針金ハンガーフレームの挟持部    ２ｇ  ピンチＡの回転連結部
２ｈ  ピンチＢの回転連結部            ３    吊下げバンド
３ａ  ピンチの被挟持部                ３ｂ  吊下げバンドのチェーン部
３ｃ  枕や座布団の挟持板              ３ｄ  吊下げバンド長の調性具
３ｅ  枕や座布団の挟持部              ３ａ−１  ３ａの代用具−１
３ａ−２  ３ａの代用具−２            ３−２    帯状の吊下げバンド
３−２−ｄ  帯状の吊下げバンド長の調性具
４    枕                              ５    座布団
【図１】
2016087369.tif 000003
【図２】
2016087369.tif 000004
【図３】
2016087369.tif 000005
【図４】
2016087369.tif 000006
【図５】
2016087369.tif 000007
【図６】
2016087369.tif 000008
【図７】
2016087369.tif 000009
【図８】
2016087369.tif 000010
【図９】
2016087369.tif 000011
【図１０ａ】
2016087369.tif 000012
【図１０ｂ】
2016087369.tif 000013
【図１１ａ】
2016087369.tif 000014
【図１１ｂ】
2016087369.tif 000015